(57)【要約】【課題】  収納物の出し入れをする際、長時間の作業でも腰掛けた楽な姿勢で作業が可能な床下収納装置を提供することである。【解決手段】  建物の床下に設けられた収納容器４と、その収納容器４の上部の床面に設けられた収納物出し入れ用の第１開口部２ａと、その第１開口部２ａに連接して床面に設けられた作業姿勢調整用の第２開口部２ｂと、第１開口部２ａと第２開口部２ｂを開閉自在に覆う蓋３ａ，３ｂを有する。作業者は、第２開口部２ｂに脚を入れ、腰掛けた楽な姿勢で、第１開口部２ａ内から収納容器４内の収納物の出し入れをする。【選択図】  図１
2006219969.tif 000002
【特許請求の範囲】
【請求項１】
建物の床下に設けられた収納容器と、その収納容器の上部の床面に設けられた収納物出し入れ用の第１開口部と、その第１開口部に連接する床面に設けられた作業姿勢調整用の第２開口部と、第１開口部と第２開口部を開閉自在に覆う蓋を有することを特徴とする床下収納装置。
【請求項２】
前記第２開口部を開閉自在に覆う蓋が、第２開口部の周縁に反転可能に設けられると共にその裏側に座部が設けられていることを特徴とする請求項１記載の床下収納装置。
【請求項３】
前記第２開口部の下部の床下に脚置き台が設けられていることを特徴とする請求項１又は請求項２記載の床下収納装置。
【請求項４】
前記第２開口部の下部の床下に腰掛け台が設けられていることを特徴とする請求項１記載の床下収納装置。
【請求項５】
上記収納容器が複数連結され、床下に設定した移動経路に沿って移動可能にされていることを特徴とする請求項１乃至請求項４のいずれかに記載の床下収納装置。
【請求項６】
第１開口部又は第２開口部の下側で、尚且つ収納容器の上側の位置に飾り部が設けられ、前記飾り部は床上より第１開口部又は第２開口部を開閉自在に覆う蓋の少なくとも一部には透光部が設けられ、前記透光部を通して飾り部の内部が観賞可能になされていることを特徴とする請求項１乃至請求項５のいずれかに記載の床下収納装置。
【発明の詳細な説明】
【技術分野】
【０００１】
本発明は、作業姿勢の楽な床下収納装置に関する。
【背景技術】
【０００２】
従来の床下収納装置としては、床下に収納容器を設け、床面の一部に開口部を設け、その開口部より収納物の出し入れをする床下収納装置が一般的である。しかし、上記床下収納装置では作業者が床面にかがみ込み、自分の体より低い位置である床下から収納物を持ち上げて出し入れする必要があり作業性が悪く、ぎっくり腰になる危険があるなど、不便である。そこで、特許文献１には、収納物を屋外からも出し入れできる屋外取り出し口を別途設けた床下収納装置が記載されている。この床下収納装置では、床下にレールを環状のエンドレスに設置し、その上を連結した複数の収納容器を移動可能にして、屋外からは、収納容器の位置が作業者の膝の高さ程度となり立った姿勢で、収納物の出し入れを可能としている。
【特許文献１】特許第３２０４８３８号公報
【発明の開示】
【発明が解決しようとする課題】
【０００３】
特許文献１記載の発明の床下収納装置では、立った姿勢で作業が可能であり便利ではあるが、雨の日など屋外に出にくい場合は作業が不便である。また、立った姿勢のままでの作業では、収納容器内の整理を行う際などの長時間の作業では疲れやすい。
【０００４】
そこで、本発明の目的は、屋内で収納物の出し入れが容易にでき、しかも楽な姿勢で作業を行うことができる床下収納装置を提供することである。
【課題を解決するための手段】
【０００５】
請求項１記載の発明の床下収納装置は、建物の床下に設けられた収納容器と、その収納容器の上部の床面に設けられた収納物出し入れ用の第１開口部と、その第１開口部に連接する床面に設けられた作業姿勢調整用の第２開口部と、第１開口部と第２開口部を開閉自在に覆う蓋を有することを特徴とする。
【０００６】
建物の床下に設けられた収納容器としては、建物の床下に納まる大きさであり、物が収納出きるものであればよい。
【０００７】
その収納容器の上部の床面に収納物出し入れ用の第１開口部が設けられる。この第１開口部の大きさは特に限定されないが、収納容器と略同一寸法程度であることが収納容器の内部の全体を見ることができ、収納物の出し入れもし易く好ましい。第１開口部に連接して設けられる作業姿勢調整用の第２開口部については、作業者の脚や身体を入れることができ、収納容器内の収納物の出し入れ作業の姿勢が楽になるような大きさになされる。したがって、第２開口部の大きさは、作業者が少なくとも片脚を入れることができる大きさが確保されている。第１開口部の連接した面から離れる方向に少なくとも約３００ｍｍから４５０ｍｍ程度の長さと、第１開口部に沿った方向に少なくとも約４５０ｍｍから６００ｍｍ程度の幅を確保した大きさとすることが作業者の両脚が入り、作業姿勢が楽になり好ましい。なお、第２開口部の幅を第１開口部の幅に合わせた大きさにしたものや、第２開口部を第１開口部の全周囲に設けたものとすることもできる。
【０００８】
上記第１開口部及び第２開口部には、それぞれの開口部の全体を覆う大きさで開閉自在な蓋が設けられている。この蓋は、第１開口部と第２開口部を兼ねたものであっても、それぞれの開口部を単独で覆うものであってもよい。また、蓋の開閉手段としては、例えば、折り畳むことで開閉する手段、スライドすることで開閉する手段、蓋の一辺の端縁部を軸として回転して開閉する手段などが使用できる。また、蓋の分け方、開閉方向等についても特に限定されない。なお、蓋を閉じた場合には、蓋の上面が床面を兼ねる構成とし、蓋を閉じた状態では床面との段差がない状態となっていることが好ましい。
【０００９】
請求項１記載の発明の構成により、作業者は第２開口部に脚などを入れて収納容器との位置関係を変更させて作業姿勢を調整し、第１開口部より収納容器内の収納物を出し入れすることが可能となる。この際、床面に腰掛けた楽な姿勢で収納物を出し入れすれば、ぎっくり腰になるなどの身体を傷める危険も少なく、長時間の作業も行い易い。
【００１０】
請求項２記載の発明の床下収納装置は、請求項１記載の発明の床下収納装置であって、前記第２開口部を開閉自在に覆う蓋が、第２開口部の周縁に反転可能に設けられると共にその裏側に座部が設けられていることを特徴とする。
【００１１】
請求項２記載の発明における第２開口部の周縁に反転可能に設けられる蓋は、第２開口部を覆う蓋全体であっても、第２開口部を覆う蓋の一部であってもよい。なお、第２開口部周縁に反転させて置かれた状態にできるようにするには、例えば、蓋の一辺の端縁部に蝶番などを設けることにより、蓋の一辺の端縁部を軸として蓋を反転させて第２開口部周縁に置かれる構成などが使用できる。蓋の裏面は平坦になされたり、クッション材が取り付けられて座部が設けられる。
【００１２】
請求項２記載の発明の構成により、作業者は第２開口部の周縁に反転して床面に置かれた状態になる蓋の裏面の座部に腰掛けて、第２開口部に脚を入れ、第１開口部より収納容器内の収納物を出し入れすることが可能となる。この際、床面に腰掛けた楽な姿勢で収納物を取り出すことが可能なため長時間の作業も行い易い。
なお、反転した蓋の裏面が床面と平行な状態であれば、座部に腰掛け易いため好ましい。更に、快適性を増すためには、例えば、蓋の裏面に座部としてクッション材を貼り付けておくとよい。
【００１３】
請求項３記載の発明の床下収納装置は、請求項１又は２記載の発明の床下収納装置であって、前記第２開口部の下部の床下に脚置き台が設けられていることを特徴とする。
【００１４】
第２開口部の下部の床下に設けられる脚置き台としては、上面が第２開口部周縁の床面又は開口部周縁に反転させて置かれた蓋の裏面より、約２５０ｍｍから４５０ｍｍ程度の深さにくる高ささとすることが、床面又は蓋の座部に腰掛けた場合に椅子と同様に楽な姿勢となるため好ましい。
請求項３記載の発明の構成にすることにより、脚置き台に作業者の脚を置くことにより、第２開口部の内部で脚が浮いた状態にならず、作業者に力も入り、作業がし易くなり、脚も疲れにくくなる。
【００１５】
請求項４記載の発明の床下収納装置は、請求項１記載の床下収納装置であって、前記第２開口部の下部の床下に腰掛け台が設けられていることを特徴とする。
【００１６】
請求項４記載の発明では、第２開口部が、請求項３記載の発明の第２開口部より大きいものであり、作業者が入り腰掛けることができる大きさになされている。作業者が腰掛けることができる大きさとしては、連接した第１開口部より離れる方向に少なくとも約６００ｍｍから９００ｍｍ程度の長さと、第１開口部に沿った方向に少なくとも約６００ｍｍから９００ｍｍ程度の幅を確保した大きさとすることが作業姿勢上好ましい。なお、第２開口部の幅を第１開口部の幅に合わせた大きさにしたものや、第２開口部を第１開口部の全周囲に設けたものとすることもできる。
【００１７】
第２開口部の下部の床下には腰掛け台が設けられている。この腰掛け台の上面の高さは、床下底面より３８０ｍｍから４５０ｍｍ程度の高さとするとことが、腰掛けた際に脚が浮くことがなく、疲れにくくなり好ましい。また、座面にはクッション材などを設けると、正座なども抵抗感なく可能であり更に疲れにくくなり好ましい。なお、腰掛け台は固定されたものでなくてもよい。また、床下底面に置かれるものではなく、第２開口部の内部の床下側面に固定されたものであってもよい。
【００１８】
請求項４記載の発明の構成により、第２開口部の内部に入り、腰掛け台に腰掛け、楽な姿勢で収納容器から出し入れを行うことが可能となる。この際、腰掛け台に腰掛けた楽な姿勢で収納物を出し入れすることが可能であるため長時間の作業も行い易い。また、腰掛け台を第２開口部内部に入るためのステップ（階段）として使用すると、内部に入り易い。
なお、腰掛け台に腰掛けて床下底面に脚を置けば、収納容器の底面と脚を置く高さがほぼ等しくなり、かがみ込む量が少なくなるため請求項３記載の発明の床下収納装置よりも、収納容器内の収納物を持ち上げる作業が更に楽になる。
【００１９】
請求項５記載の発明は、請求項１乃至請求項４のいずれかの床下収納装置であって、上記収納容器が複数連結され、床下に設定した移動経路に沿って移動可能にされていることを特徴とする。
【００２０】
収納容器が複数連結され、床下に予め設定した移動経路に沿って移動可能にされている状態にするには、例えば、床下にレールが環状のエンドレスに設置されており、その上を連結した収納容器が移動可能になっており、収納容器を環状のエンドレスのレールに沿って移動させていくと、次々に別の収納容器が現れ多くの物が収納可能となっているものなどが使用できる。
【００２１】
請求項５記載の発明の構成により、複数の収納容器が連接して移動可能になり、複数の収納容器を使用でき、収納量が増加する。
【００２２】
請求項６記載の発明は、請求項１乃至請求項５のいずれかに記載の床下収納装置であって、第１開口部又は第２開口部の下側で、尚且つ収納容器の上側の位置に飾り部が設けられ、前記飾り部は床上より第１開口部又は第２開口部を開閉自在に覆う蓋の少なくとも一部には透光部が設けられ、前記透光部を通して飾り部の内部が観賞可能になされていることを特徴とする。
【００２３】
飾り部は、例えば、装飾品、思い出の品、趣味のものなどを飾ることが可能なものであればよく、例えば、上方が開放した箱型の構成等が使用できる。なお、設置位置は第１開口部の下側、第２開口部の下側、第１開口部及び第２開口部の下側のいずれかに設けられ、且つ収納容器よりも上側に設けられる。
【００２４】
そして、第１開口部又は第２開口部を開閉自在に覆う蓋の少なくとも一部に透光部が設けられている。透光部としては、例えば、アクリル板やガラス板などの透光板を使用したり、格子状や網目状の部材のような光を透光可能な透孔を有する構成の光透過材を使用することにより、第１開口部又は第２開口部を開閉自在に覆う蓋の透光部を通して床上より飾り部の内部に飾ったものを観賞可能にとすることができるようになっている。なお、アクリル板やガラス板等の透光板を使用する場合は、透明であっても、半透明であってもよい。また、蓋が床面を兼ねる構成になる場合には、透光部も、人や物が載っても破壊されない強度を有するものを使用することが好ましい。
【００２５】
請求項６記載の構成によると、蓋の透光部を通して飾り部の内部に飾ったものを観賞することができ、床面に表情を出すことができる。
また、請求項５記載のように収納容器が複数連結され、床下に設定した移動経路に沿って移動可能になされた床下収納装置は、収納容器が床根太や床梁によって移動の邪魔にならないように、収納容器の上端が床根太や床梁の下側に配置される。よって、床根太や床梁に囲まれた空間には収納容器が配置できず、未使用の空間となる。よって、この未使用の空間に飾り部を設けることで有効に空間利用することができる。
【００２６】
なお、請求項３の脚置き台と請求項４の腰掛け台を兼用するような台を設置したものや、第１開口部と第２開口部を兼用したものも本発明に含まれる。
【発明の効果】
【００２７】
請求項１記載の発明では、作業姿勢調整用の第２開口部によって作業者が楽な姿勢で第１開口部から収納容器内の収納物を出し入れができ、身体を傷める危険も少なく、長時間の作業も容易である。
請求項２記載の発明では、第２開口部の周縁に反転した蓋の裏側の座部に腰掛けた楽な姿勢で作業者が第１開口部から収納容器内の収納物を出し入れができ、身体を傷める危険も少なく、長時間の作業も容易である。
請求項３記載の発明では、脚置き台により、作業者の作業がし易くなり、脚も疲れにくくなる。
請求項４記載の発明では、腰掛け台により、作業者が腰掛けた楽な姿勢で、しかも収納容器を高い位置関係にして収納物を出し入れでき、作業が容易で、長時間の作業も容易である。
請求項５記載の発明では、複数の収納容器が連接して移動可能になり、複数の収納容器を使用でき、収納量が増加する。
請求項６記載の発明では、蓋の透光部を通して飾り部の内部に飾ったものを観賞することができ、床面に表情を出すことができる。また、請求項５記載のような床下部分で移動可能となされた床下収納装置に適用した際に生じる床根太や床梁に囲まれた未使用空間に、飾り部を設けることによって未使用空間を有効に利用することができる。
【発明を実施するための最良の形態】
【００２８】
以下、本発明の実施の形態を図面に基づいて説明をする。
【実施例１】
【００２９】
実施例１は請求項１乃至３記載の発明の実施の形態であり、図１及び図２に基づいて説明をする。図１は本発明の実施例１の床下収納装置の断面図、図２は本発明の実施例１の床下収納装置の床面上部からの平面図を示す。なお、図２の点線部は床下部分に存在する収納容器４、脚置き台５を示す。
【００３０】
床下収納装置Ａは、建物の床下に設けられており、収納容器４と、収納容器４の上部の床面に設けられた収納物出し入れ用の第１開口部２ａと、その第１開口部２ａに連接する床面１に設けられた作業姿勢調整用の第２開口部２ｂ、第１開口部２ａを開閉自在に覆う蓋３ａ、第２開口部２ｂを開閉自在に覆う蓋３ｂ、第２開口部２ｂの内部に設けられた脚置き台５により構成されている。なお、この建物は床面１から床下底面７までの深さが約６００ｍｍとなっている。
【００３１】
収納容器４は９００ｍｍ×９００ｍｍの大きさで、深さが略６００ｍｍの上面が開放した箱型形状となっている。
第１開口部２ａは前記収納容器４の上部の床面に設けられており、収納容器４とほぼ同寸法で９００ｍｍ×９００ｍｍの大きさで設けられている。
第２開口部２ｂは第１開口部２ａに連接して設けられ、連接した第１開口部２ａより離れる方向に約４００ｍｍの長さと、第１開口部２ａに沿った方向に約５００ｍｍ程度の幅を確保した大きさとなっている。
【００３２】
また、第１開口部２ａと第２開口部２ｂの側縁には蓋３ａ，３ｂの厚み分だけ床面１より下がった位置に蓋受け材８が設けられ、蓋３ａ，３ｂを閉めたとき、床面１と蓋３ａ，３ｂとがほぼ面一になるようになっている。また、蓋受け材８の下には収納容器の受け材９が設けられ収納容器４が支持されている。
【００３３】
蓋３ａは第１開口部２ａを覆うものであり、連接する第２開口部２ｂに連接する面と対面する一辺の端縁部を軸として、回転することにより開閉自在となっている。蓋３ｂは第２開口部２ｂを覆うものであり、連接する第１開口部２ａに連接する辺と対面する一辺の端縁部を軸として回転することにより開閉自在となっている。また、この蓋３は第２開口部の周縁に反転可能に設けられると共にその裏側に座部が設けられ、クッション材１０が貼り付けられている。
【００３４】
第２開口部２ｂの内部には脚置き台５が設けられている。脚置き台５は４００ｍｍ×５００ｍｍ×２００ｍｍの大きさであり、床下底面７に、４００ｍｍ×５００ｍｍの面を上に向けて置かれている。なお、床下底面７は、コンクリートが打設されたベタ基礎となっている。床面１から床下底面７までの深さが約６００ｍｍであるので、蓋３ｂの厚みとクッション材を合わせて３０ｍｍとすると、第２開口部２ｂの周縁に反転されて置かれたふ蓋３ｂの裏面の座部のクッション材１０の上面から脚置き台５までの深さは約４３０ｍｍとなる。
【００３５】
次に、実施例１の使い方を説明する。作業者１２は、図１の蓋３ａを開き、第１開口部２ａを出現させ、その内部の収納容器４が見える状態にする。更に、蓋３ｂを開き第２開口部２ｂを出現させる。蓋３ｂは１８０度開き、第２開口部２ｂの周縁に反転させて置かれた状態とする。よって、蓋３ｂの裏面の座部のクッション材１０が上を向いた状態となる。
【００３６】
作業者１２は図１に示すように、蓋３ｂの裏面に設けたクッション材１０に腰掛け、蓋３ｂを開くことにより出現した第２開口部２ｂの内部に脚を入れ、第２開口部２ｂの内部に設けた脚置き台５の４００ｍｍ×５００ｍｍの面に脚を置いた姿勢で、第１開口部２aから収納容器４内の収納物を出し入れする。
【００３７】
よって、作業者１２は、蓋３ｂの裏面の座部に腰掛けて、第２開口部２ｂに脚を入れ、第１開口部２ａから収納容器４内の収納物を取り出すことが可能となり、長時間の作業も行い易い。
【実施例２】
【００３８】
実施例２は請求項１又は請求項４記載の発明の実施の形態であり、以下図３及び図４に基づいて説明をする。図３は本発明の実施例２の床下収納装置の断面図、図４は本発明の実施例２の床下収納装置の床面上部からの平面図を示す。なお、図４の点線部は床下部分に存在する収納容器２４、腰掛け台２５を示す。
【００３９】
床下収納装置Ｂは、建物の床下に設けられており、収納容器２４と、収納容器２４の上部の床面２１に設けられた収納物出し入れ用の第１開口部２２ａと、その第１開口部２２ａに連接して作業姿勢調整用第２開口部２２ｂ、第１開口部２２ａを開閉自在に覆う蓋２３ａ、第２開口部２２ｂを開閉自在に覆う蓋２３ｂ、第２開口部２３ｂの下部の床下に設けた腰掛け台２５により構成されている。なお、この建物は床面２１から床下底面２７までの深さが約６００ｍｍとなっている。
【００４０】
収納容器２４は９００ｍｍ×９００ｍｍの大きさで、深さが６００ｍｍの上面が開放した箱型形状となっている。
第１開口部２２ａは前記収納容器２４の上部の床面に設けられており、収納容器２４とほぼ同寸法で９００ｍｍ×９００ｍｍの大きさで設けられている。
第３開口部２２ｂは第１開口部２２ａに連接して設けられ、連接した第１開口部２２ａより離れる方向に約８００ｍｍの長さと、第１開口部２２ａに沿った方向に約９００ｍｍの幅を確保した大きさとなっている。
【００４１】
また、第１開口部２２ａと第２開口部２２ｂの側縁には蓋２３ａ，２３ｂの厚み分だけ床面２１より下がった位置に蓋受け材２８が設けられ、蓋２３ａ，２３ｃを閉めたとき、床面２１と蓋２３ａ，２３ｃとがほぼ面一になるようになっている。また、蓋受け材２８の下には収納容器の受け材２９が設けられ収納容器２４が支持されている。
【００４２】
蓋２３ａは第１開口部２２ａを覆うものであり、連接する第２開口部２２ｃに連接する辺と対面する一辺の端縁部を軸として、回転することにより開閉自在となっている。蓋２３ｂは第３開口部２２ｂを覆うものであり、連接する第１開口部２２ａに連接する辺と対面する一辺の端縁部を軸として、回転することにより開閉自在となっている。また、この蓋３ｂは一定の回転角度で固定することが可能となっている。
【００４３】
第２開口部２２ｂの下部の床下には腰掛け台２５が設けられている。腰掛け台２５は４００ｍｍ×９００ｍｍ×４００ｍｍの大きさであり、床下底面２７に、４００ｍｍ×９００ｍｍの面を上に向けて置かれている。よって、床下底面２７から腰掛け台２５の上面までは約４００ｍｍの高さとなる。第２開口部２２ｂが連接する第１開口部２２ａより離れる方向に８００ｍｍの長さがあるので、第２開口部２２ｂ下部の床下に腰掛け台２５を置いた場合で、脚を入れる大きさとして約４００ｍｍ程度確保されている。なお、床下底面２７は、コンクリートが打設されたベタ基礎となっている。
【００４４】
次に、実施例２の使い方を説明する。作業者は、図３の蓋２３ａを開き、第１開口部２２ａを出現させ、その下部の収納容器２４が見える状態にする。更に、蓋２３ｂを開き第２開口部２２ｂを出現させる。蓋２３ｂは約８０度の角度に開いた位置で固定を行う。
作業者１３は、図３に示すように蓋２３ｂを開くことにより出現した第２開口部２２ｂの下部の床下に腰掛け台２５をステップ（階段）として使用して入り、腰掛け台２５に腰掛け、脚は床下底面２７に置き、約８０度の角度に開いた位置で固定した蓋２３ｂを背もたれとして使用した姿勢で、第１開口部２２ａから収納容器２４内の収納物を出し入れする。
【００４５】
よって、作業者１３は、第２開口部２ｂ内部の腰掛け台２５に腰掛けて、第１開口部２２ａより収納容器２４内の収納物を取り出すことが可能となり長時間の作業も行い易い。
なお、収納容器２４の底面と脚を置いている高さが等しくなり、かがみ込む量が少なくなるため実施例１の床下収納装置よりも、収納容器２４内の収納物を持ち上げる作業が楽になる。なお、腰掛け台２５の腰掛け面にクッション材を設けておくと、正座なども抵抗感なく可能であり更に疲れにくくなり好ましい。
【実施例３】
【００４６】
実施例３は請求項１、２又は４記載の発明の実施の形態であり、以下図５及び図６に基づいて説明をする。図５は本発明の実施例３の床下収納装置の断面図、図６は本発明の実施例３の床下収納装置の床下部分の平面図を示す。なお、図６の点線部は床上部分に存在する蓋３３ａ，３３ｂを示す。
実施例３の基本的な構成は実施例１と同様であるが、実施例１の収納容器４が床下に設定した移動経路に沿って移動可能にされた収納容器５０になっている点が異なる。具体的には移動経路としてレール５１を環状のエンドレスに設け、その上に複数の収納容器５０が移動可能になっている。よって、実施例１と同様の構成部分については説明を省略する。
【００４７】
床下収納装置Ｃは、建物の床下に設けられており、複数の収納容器５０と、収納容器５０の上部の床面に設けられた収納物出し入れ用の第１開口部３２ａと、その第１開口部３２ａに連接する床面に作業姿勢調整用の第２開口部３２ｂ、第１開口部３２ａを開閉自在に覆う蓋３３ａ、第２開口部３２ｂを開閉自在に覆う蓋３３ｂ、蓋３３ｂの裏側の座部、第２開口部３２ｂの下部の床下に設けた脚置き台３５により構成されている。
【００４８】
第１開口部３２ａ、第２開口部３２ｂ、蓋３３ａ、蓋３３ｂ、脚置き台３５、については実施例３１と同様の構成であるため説明を省略する。なお、座部に設けたクッション材３０、蓋受け材３８同様に説明を省略する。
【００４９】
収納容器５０は、実施例１と平面視同寸法の９００ｍｍ×９００ｍｍの大きさで、上面が開放した箱型形状となっている。但し、収納容器と床下空間の高さの関係は後述のように異なっている。また、収納容器５０は、図６に示すように複数連結された状態で、環状のエンドレスなレール５１の上を移動可能となっている。収納容器５０の下面でレールに沿って周回する周の内側と外側にはそれぞれ車輪５４，５５が設けられている。収納容器５０の内側上方には車輪５６が設けられている。内側の車輪５４がレール５１の上に載せられ、車輪５６がガイドレール５２に取り付けられている。このレール５１とガイドレール５２とに導かれて収納容器５０が移動するようになっている。なお、外側の車輪５５は収納容器５０が移動するにつれて回転するようになっている。収納容器５０は複数個が連結されているため、収納容器５０をレール５１に沿って移動させていくと次々に別の収納容器５０が現れる。
床下底面３７はベタ基礎となっており、この床下底面３７に、図６に示すように環状のエンドレスなレール５１が設けられている。
また、床面３１は床根太７２で支持されており、収納容器５０は床面から床下床面までの深さから、車輪５４，５５や床根太７２に要する高さ分だけ小さなものとなっている。
【００５０】
第１開口部３２ａは環状のエンドレスなレール５１上部の床面の一部に設けられている。つまり、環状のエンドレスなレール５１で移動可能となっている収納容器５０の上部の床面に設けられた状態となっている。大きさは収納容器５０とほぼ同寸法の大きさになっている。設置されている位置関係としては、図６のようにエンドレスなレール５１の外側部分に拡がるように第１開口部３２ａ、第２開口部３２ｂ、蓋３ａ、蓋３３ｂが設けられ、第２開口部３２ｂの下部の床下に脚置き台３５が設けられている。
【００５１】
次に、実施例３の使い方を説明する。実施例３の使い方は実施例１とほぼ同様であり、
作業者１４は、図５の蓋３３ａを開き、第１開口部３２ａを出現させ、その下部の床下の収納容器５０が見える状態にする。更に、蓋３３ｂを開き、第２開口部３２ｂを出現させる。蓋３３ｂ裏面の座部に設けたクッション材３０が第２開口部３２ｂ周縁に反転させて置かれた状態とする。
【００５２】
作業者１２は図５に示すように、蓋３３ｂの裏面に設けたクッション材３０に腰掛け、蓋３３ｂを開くことにより出現した第２開口部３２ｂの下部の床下に脚を入れ、第２開口部３２ｂの下部の床下に設けた脚置き台３５の４００ｍｍ×５００ｍｍの面に脚を置いた姿勢で、第１開口部３２ａから複数ある収納容器５０を回転させて目当ての収納容器５０を選びだし、第１開口部３２ａから収納容器５０内から収納物を出し入れする。
【００５３】
よって、作業者１４は、蓋３３ｂの裏面に腰掛けて、第２開口部３２ｂに脚を入れ、第１開口部３２ａより収納容器５０内の収納物を取り出すことができ、長時間の作業も行い易い。また、収納容器５０が複数個設けられているため、収納量が増加する。
【実施例４】
【００５４】
実施例４は請求項３又は４記載の発明の実施の形態であり、以下図７及び図８に基づいて説明をする。図７は本発明の実施例４の床下収納装置の断面図、図８は本発明の実施例４の床下収納装置の床下部分の平面図を示す。なお、図８の点線部は床上部分に存在する蓋４３ａ，４３ｂを示す。
実施例４は実施例３と同様に、収納容器５０が床下に予め設定した移動経路に沿って移動可能にされている。移動経路として環状のエンドレスなレール５１を設け、その上に複数の収納容器５０を移動可能にした構成は同様であるが、蓋、第１開口部及び第２開口部の設置する位置が異なり、脚置き台３５がなく腰掛け台４５を設けられている点が異なる。
【００５５】
床下収納装置Ｄは、建物の床下に設けられており、収納容器５０と、収納容器５０の上部の床面に設けられた第１開口部４２ａと、その第１開口部４２ａに連接して床面４１に作業姿勢調整用の第２開口部４２ｂ、第１開口部４２ａを開閉自在に覆う蓋４３ａ、第２開口部４２ｂを開閉自在に覆う蓋４３ｂ、第２開口部４２ｂの下部の床下に設けた脚置き台４５により構成されている。
【００５６】
収納容器５０の構成については、実施例３と同じ構成であるため、記述は省略する。
設置されている位置関係としては、第１開口部４２ａ、第２開口部４２ｂ、蓋４３ａ、蓋４３ｃ、腰掛け台４５については、図８に示すように環状のエンドレスなレール５１の中心部分に設けられている。
【００５７】
図８のようにレール５１を挟んで対面にある収納容器５０，５０の上部の床面に第１開口部４２ａが設けられ、環状のエンドレスなレール５１に囲まれた位置に第１開口部４２ａに連接した第２開口部４２ｂが設けられている。
第２開口部４２ｂの下部には、腰掛け台４５が設けられている。この腰掛け台４５は４００ｍｍ×９００ｍｍ×４００ｍｍの大きさであり、床下底面４７に、４００ｍｍ×９００ｍｍの面を上に向けて置かれている。よって、床下底面４７から腰掛け台４５の上面までは約４００ｍｍの高さとなるため、脚が床下底面４７から浮くことない。この腰掛け台４５は、床下底面４７に固定されておらず、床下土間４７の必要な場所に適宜設けることが可能となっている。
【００５８】
なお、第１開口部４２ａ及び第２開口部４２ｂの側縁には蓋４３ａ及び蓋４３ｂの厚み分だけ床面４１より下がった位置に蓋受け材４６が設けられ、蓋４３ａ，４３ｂを閉めたとき、床面４１と蓋４３ａ，４３ｂとがほぼ面一になるようになされている。
【００５９】
実施例４の使い方としては、作業者１５のように第２開口部４２ｂの下部の床下の腰掛け台４５に腰掛けて、脚を床下底面４７に置いた姿勢で、第１開口部４２ａから複数ある収納容器５０を回転させて目当ての収納容器５０を選びだし、第２開口部４２ｂから収納容器５０内から収納物の出し入れをする。
よって作業者１５は、腰掛け台４５に腰掛けた楽な姿勢で作業を行うことが可能である。
また、使用者１３は左右両側に収納容器５０，５０を見ることが出来るため、目的の収納容器５０を見つけやすく作業効率が向上する。
【実施例５】
【００６０】
実施例５は請求項６記載の発明の実施の形態であり、以下図９に基づいて説明をする。図９は本発明の実施例５の床下収納装置の断面図を示す。
実施例５は実施例３と同様に、収納容器５０が床下に予め設定した移動経路に沿って移動可能になされている。移動経路として環状のエンドレスなレール５１を設け、その上に複数の収納容器５０を移動可能にした構成は同様であるが、飾り部７１が設けられ、蓋３３ａに透光部６３２が設けられている点が異なる。
【００６１】
床下収納装置Ｅは、建物の床下に設けられており、複数の収納容器５０と、収納容器５０の上部の床面に設けられた収納物出し入れ用の第１開口部６２ａと、その第１開口部６２ａに連接する床面に作業姿勢調整用の第２開口部６２ｂ、第１開口部６２ａを開閉自在に覆う蓋６３ａ、第２開口部６２ｂを開閉自在に覆う蓋６３ｂ、蓋６３ｂの裏側の座部、第２開口部６２ｂの下部の床下に設けた脚置き台６５、第１開口部と収納容器５０の間に設けられた飾り部７１、床下に設定した移動経路に沿って移動可能になされた複数個の収納容器５０により構成されている。
【００６２】
第１開口部６２ａ、第２開口部６２ｂ、蓋６３ｂ、脚置き台６５、複数の収納容器５０を床下に設定した移動経路に沿って移動可能とした手段については実施例３と同様の構成であるため説明を省略する。
【００６３】
蓋６３ａは、周縁にアルミ製の蓋枠６３１を設け、その蓋枠６３１の内側部分は透明アクリル板で構成された透光部６３２になっている。なお、この蓋６３ａは床面を兼ねるものになるため、透光部６３２は、人や物が載っても破壊されない強度をもつものが使用されている。
【００６４】
飾り部７１は、第１開口部３２ａとほぼ同寸法の９００ｍｍ×９００ｍｍの大きさで、上面が開放した箱型形状となっている。設置位置は第１開口部６２ａの下側で、収納容器５０よりも上側に設けられている。床面６１は床根太７２で支持されており、飾り部７１はこの床根太７１で囲まれた場所に設置されている。また、深さは、床根太７２とほぼ同寸法になっている。
以上の構成より、この飾り部７１には、例えば、装飾品、思い出の品、趣味のものなどを飾ることができる構成になっている。
【００６５】
この実施例６の構成によると、作業者１６は、床面６１上方から、蓋３３ａの透光部６３２を通して、飾り部７１の内部を観賞することができる。したがって、床面６１に表情を出すことができ、また、飾り部７１に飾ったものを楽しむことができる。
【００６６】
また、実施例３の床下収納装置Ｃでは、床面３１を支持している床根太７２の存在により、床根太７２の下部より高い位置に収納容器５０の上端部を設けることができない構成になっていた。つまり、複数個設けられた収納容器５０が、環状のエンドレスなレール５１上を移動する際に床根太７２と干渉するためである。したがって、収納容器５０と第１開口部３２ａの間の空間は未利用空間になっていた。実施例６の床下収納装置Ｅでは、この未利用の空間に、飾り部７１が設置される構成になるため、この未利用空間の有効利用ができる。
【００６７】
以上、本発明の実施例１乃至４を説明したが、本発明は前記実施例に限定されるものではなく、例えば、蓋の開閉手段、蓋の分け方、蓋の開閉方向が異なるもの、収納容器や開口部の形状が異なるものなど、本発明の要旨を逸脱しない範囲の設計変更があっても本発明に含まれるのは勿論である。
【産業上の利用可能性】
【００６８】
建物の収納装置として、腰掛けた楽な姿勢で作業が可能な床下収納装置としての利用に有効である。
【図面の簡単な説明】
【００６９】
【図１】本発明の実施例１の床下収納装置の断面図
【図２】本発明の実施例１の床下収納装置の床面上部からの平面図
【図３】本発明の実施例２の床下収納装置の断面図
【図４】本発明の実施例２の床下収納装置の床面上部からの平面図
【図５】本発明の実施例３の床下収納装置の断面図
【図６】本発明の実施例３の床下収納装置の床下部分の平面図
【図７】本発明の実施例４の床下収納装置の断面図
【図８】本発明の実施例４の床下収納装置の床下部分の平面図
【図９】本発明の実施例５の床下収納装置の床下部分の断面図
【符号の説明】
【００７０】
Ａ、Ｂ、Ｃ、Ｄ、Ｅ                    床下収納装置  
１、２１、３１、４１、６１            床面
２ａ、２２ａ、３２ａ、４２ａ、６２ａ  第１開口部
２ｂ、２２ｂ、３２ｂ、４２ｂ、６２ｂ  第２開口部
３ａ、２３ａ、３３ａ、４３ａ、６３ａ  第１開口部の蓋
３ｂ、２３ｂ、３３ｂ、４３ｂ、６４ｂ  第２開口部の蓋
４、２４                              収納容器
５、３５                              脚置き台
２５、４５                              腰掛け台
７、２７、３７、４７、６７            床下底面
８、２８、３８、４８                  蓋受け材
９、２９、３９、４９                  受け材
１０、３０、６０                        クッション材
１２、１３、１４、１５、１６            作業者
５０                                    収納容器
５１                                    レール
５２                                    ガイドレール
５４、５５、５６                        車輪  
７１                                    飾り部
７２                                    床根太
【図１】
2006219969.tif 000003
【図２】
2006219969.tif 000004
【図３】
2006219969.tif 000005
【図４】
2006219969.tif 000006
【図５】
2006219969.tif 000007
【図６】
2006219969.tif 000008
【図７】
2006219969.tif 000009
【図８】
2006219969.tif 000010
【図９】
2006219969.tif 000011